(57)【要約】【課題】  体位保持具を取り付けたテーブル上でのＸ線撮影を可能にする。【解決手段】  基板（２）上にマット部（３）が固定され、基板（２）が支持装置（４）を介してテーブル（７）に連結される体位保持具において、基板（２）及びマット部（３）がＸ線透過材で形成される。例えばテーブル（７）上で被検者（Ａ）をＸ線透過撮影しながら手術を行う場合、明瞭な画像を得て適正な手術、治療等を行うことができる。【選択図】  図１
2005152454.tif 000002
【特許請求の範囲】
【請求項１】
基板上にマット部が固定され、基板が支持装置を介してテーブルに連結される体位保持具において、上記基板及びマット部がＸ線透過材で形成されたことを特徴とする体位保持具。
【請求項２】
請求項１に記載の体位保持具において、支持装置がＸ線透過材で形成されたことを特徴とする体位保持具。
【請求項３】
請求項１に記載の体位保持具において、マット部が面ファスナーを介して基板に取り付けられたことを特徴とする体位保持具。
【発明の詳細な説明】
【技術分野】
【０００１】
本発明は、手術台等において被検者の体位を保持するための体位保持具に関する。
【背景技術】
【０００２】
従来、手術台等のテーブル上で被検者を一定の体位で保持するために体位保持具が用いられている。幾つかの体位保持具をテーブルの回りに設けられたフレームに固定し、各体位保持具のマット部を被検者の体に押し付けて被検者をテーブル上で一定の体位で保持する。そして、術者等が検査、診断、手術等を行う。
【発明の開示】
【発明が解決しようとする課題】
【０００３】
ところが、従来の体位保持具は金属板で出来た基板上にマット部を固定してなるものであるから、例えばテーブル上で被検者をＸ線透過撮影しながら手術を行う場合、明瞭な画像を得難いという問題がある。また、従来の金属製基板を備えた体位保持具は重いので、取り扱いが面倒であるという問題がある。
【０００４】
したがって、本発明は上記不具合を解消することができる体位保持具を提供することを目的とする。
【課題を解決するための手段】
【０００５】
上記課題を解決するため、請求項１に係る発明は、基板（２）上にマット部（３）が固定され、基板（２）が支持装置（４）を介してテーブル（７）に連結される体位保持具において、上記基板（２）及びマット部（３）がＸ線透過材で形成された体位保持具を採用する。
【０００６】
また、請求項２に係る発明は、請求項１に記載の体位保持具において、支持装置（４）がＸ線透過材で形成された体位保持具を採用する。
【０００７】
また、請求項３に係る発明は、請求項１に記載の体位保持具において、マット部（３）が面ファスナーを介して基板（２）に取り付けられた体位保持具を採用する。
【発明の効果】
【０００８】
請求項１に係る発明によれば、基板（２）上にマット部（３）が固定され、基板（２）が支持装置（４）を介してテーブル（７）に連結される体位保持具において、上記基板（２）及びマット部（３）がＸ線透過材で形成されたことから、例えばテーブル（７）上で被検者（Ａ）をＸ線透過撮影しながら手術を行う場合、明瞭な画像を得て適正な手術、治療等を行うことができる。また、Ｘ線透過材として例えば合成樹脂を用いることにより体位保持具を軽量化することでテーブル（７）に簡易に取り付けることができる。
【０００９】
請求項２に係る発明によれば、請求項１に記載の体位保持具において、支持装置（４）がＸ線透過材で形成されたことから、さらに明瞭な画像を得ることができる。
【００１０】
請求項３に係る発明によれば、請求項１に記載の体位保持具において、マット部（３）が面ファスナーを介して基板（２）に取り付けられたことから、Ｘ線を透過することができるのはもちろんのこと、マット部（３）を基板（２）に対して簡易に着脱することができる。
【発明を実施するための最良の形態】
【００１１】
以下、図面を参照して発明を実施するための最良の形態について説明する。
【００１２】
図２に示すように、体位保持具１は、基板２と、基板２上に固定されたマット部３と、基板２に取り付けられた支持装置４とを具備する。
【００１３】
基板２は、多角形、円形、楕円形等所望の形状の板として構成され、Ｘ線透過性に優れた材料で作られる。Ｘ線透過材としては、ゴム、合成樹脂等の単一材、或いは合成樹脂等を炭素繊維等で強化した複合材を用いることができる。
【００１４】
マット部３は、クッション性を有するウレタンゴム等を例えばブロック状に成形することにより得られ、基板２上にＸ線透過材で形成されるネジにより固定され、あるいは接着剤等により固定される。このマット部３も全体としてＸ線透過性を有する材料で形成される。マット部３は、例えば面ファスナーを介して基板２に着脱自在に取り付けられる。
【００１５】
支持装置４は、一本の棒材で構成することも可能であるが、マット部３の位置及び姿勢を適宜調整することができるように、望ましくは複数本の棒部材を連結することにより構成される。この実施の形態では、第一と第二と第三の棒部材４ａ，４ｂ，４ｃからなっており、中間の第二の棒部材４ｂは略直角に屈曲している。また、棒部材４ａ，４ｂ，４ｃとしてはこの実施の形態では丸棒が用いられるが、角棒、細長い板材等を用いることも出来る。
【００１６】
棒部材４ａ，４ｂ，４ｃ同士は相互の位置及び姿勢を変更可能に連結具５，６を介して連結され、第一の棒部材４ａの端が上記基板２に固着される。これらの連結具５，６は公知の構造を備えたものであるから詳しくは説明しないが、第一の棒部材４ａと第二の棒部材４ｂとを連結する連結具５は、自在継手を備えており、ノブ５ａを回して図示しないネジを緩めることにより第二の棒部材４ｂに対する第一の棒部材４ａの傾斜角度を自在に変更することができるようになっている。また、第二の棒部材４ｂと第三の棒部材４ｃとを連結する連結具６は、ノブ６ａを回して図示しないネジを緩めることにより第二の棒部材４ｂに対する第三の棒部材４ｃの突出長さを加減することができると共に、第三の棒部材４ｃを中心にして第二の棒部材４ｂの角度を変更することができるようになっている。
【００１７】
望ましくは、支持装置４における棒部材４ａ，４ｂ，４ｃ及び連結具５，６も上述したＸ線透過性に優れた材料で形成される。
【００１８】
次に、上記構成の体位保持具の作用について説明する。
【００１９】
図１に示すように、手術台等のテーブル７のサイドレール等のフレーム７ａに上記連結具５，６に類似した構成の固定具８，９を所望の配置で固定する。
【００２０】
次いで、各種の体位保持具１，１ａ，１ｂ，１ｃを用意し、各固定具８，９に各体位保持具１，１ａ，１ｂ，１ｃにおける支持装置４の末端の棒部材４ｃを連結する。
【００２１】
各体位保持具１，１ａ，１ｂ，１ｃの連結具５，６や固定具８，９を操作し、それぞれのマット部３を被検者Ａの体の各部に当て、被検者Ａをテーブル７上で一定の体位で保持する。
【００２２】
これにより、被検者Ａに対し適正な検査、診断、手術等を行うことができる。
【００２３】
また、術者等がテーブル７上の被検者Ａに対して検査、診断、手術等を行う際、Ｘ線照射ヘッド１０を被検者Ａに近づけて体位保持具１，１ａ，１ｂ，１ｃの上からＸ線を照射しても、体位保持具１，１ａ，１ｂ，１ｃはＸ線を透過させるので、被検者Ａの関心部位について適正かつ明瞭な画像を得ることができる。
【００２４】
なお、本発明は上記実施の形態に限定されるものではなく、例えば上記実施の形態では体位保持具を側臥位の被検者に使用する場合について説明したが本発明は仰臥位、腹臥位、座位等他の各種の体位の被検者について体位保持具を使用する場合についても適用可能である。
【図面の簡単な説明】
【００２５】
【図１】本発明に係る体位保持具の使用例を示す立面図である。
【図２】本発明に係る体位保持具の一例の立面図である。
【符号の説明】
【００２６】
２…基板
３…マット部
４…支持装置
７…テーブル
Ａ…被検者
【図１】
2005152454.tif 000003
【図２】
2005152454.tif 000004